(57)【要約】【課題】包装体への印刷にかかる手間やコストを軽減し、かつ、粒状物の種類を容易に判別できる技術を提供する。【解決手段】この包装体１は、粒状物を包装するための包装体である。包装体１は、粒状物９を内部に収容する錠剤収容部４１を有する第１シート２０と、第１シート２０の下面を覆う第２シート３０とを有する。第１シート２０は、板状の板部２１と、板部２１から上方へ筒状に突出する筒部２２と、筒部２２の上部を覆う窓部２３とを有する。筒部２２および窓部２３によって錠剤収容部４１が形成される。窓部２３は、凸レンズである。これにより、粒状物の上面に文字や記号等が印刷されている場合に、当該文字等が大きく見える。したがって、粒状物の種類を包装体の外から視認によって判別しやすい。その結果、包装体への印刷にかかる手間やコストを軽減し、かつ、粒状物の種類を容易に判別できる。【選択図】図３
2019199262.tif 000002
【特許請求の範囲】
【請求項１】
粒状物を包装するための包装体であって、
粒状物を内部に収容する錠剤収容部を有する第１シートと、
前記第１シートの下面を覆う第２シートと、
を有し、
前記第１シートは、
板状の板部と、
前記板部から上方へ筒状に突出する筒部と、
前記筒部の上部を覆う窓部と、
を有し、
前記筒部および前記窓部によって前記錠剤収容部が形成され、
前記窓部は、凸レンズである、包装体。
【請求項２】
請求項１に記載の包装体であって、
前記窓部の上面は、上方に向かって突出する曲面である、包装体。
【請求項３】
請求項１または請求項２に記載の包装体であって、
前記第１シートは、
前記板部と、前記筒部と、前記窓部の下面を含む第１窓部とが一体に形成された第１部材と、
前記窓部の上面を含む第２窓部を含む第２部材と、
を含み、
前記第２窓部の下面は、前記第１窓部の上面に接触する、包装体。
【請求項４】
請求項１または請求項２に記載の包装体であって、
前記窓部の下面は、下方に向かって突出する曲面である、包装体。
【発明の詳細な説明】
【技術分野】
【０００１】
本発明は、錠剤等の粒状物を包装するＰＴＰ包装体に関する。
【背景技術】
【０００２】
従来、錠剤、カプセル剤等の薬剤や、錠菓等の粒状物の包装体として、ＰＴＰ（Press Through Package）包装が用いられている。ＰＴＰ包装体は、指で押すだけで取り出せる簡便さがあり、防湿性にも優れている。
【０００３】
従来のＰＴＰ包装体については、例えば、特許文献１に記載されている。特許文献１に記載のように、ＰＴＰ包装体は、粒状物が収容される凹部が形成された樹脂製の透明部材と、当該凹部の開口を覆うシート状部材とから構成される。
【先行技術文献】
【特許文献】
【０００４】
【特許文献１】特開２０１４−９０８３１号公報
【発明の概要】
【発明が解決しようとする課題】
【０００５】
このようなＰＴＰ包装体に収容された粒状物の種類を判別するために、従来、シート状部材に粒状物の種類を判別するための名称や記号等が印刷されている。特に薬剤のＰＴＰ包装体では、薬剤の取り違えを防止するため、ＰＴＰ包装体の外観から、収容された粒状物の種類を判別する必要がある。
【０００６】
しかしながら、シート状部材に印刷を行うと、コストが増えるという問題が生じる。また、従来のＰＴＰ包装体の多くは、２個ないし数個の粒状物ごとの小片に切り離し可能となっている。小片への切り離し後にも粒状物の種類を判別可能とするためには、シート状部材の切り離し位置に合わせて、文字等を印刷する必要がある。このような位置合わせを行うためには、さらに手間やコストがかかる。
【０００７】
一方、包装前や包装から取り出した後においても薬剤の取り違えを防止するために、印刷や刻印によって薬剤の表面自体にも、文字や目印となる模様を表示されている。ただし、錠剤の大きさは、ＰＴＰ包装体のシート状部材よりも小さい。このため、ＰＴＰ包装体の透明部材を介して錠剤に表示された文字等を識別することは、シート状部材に印刷された文字等を識別するよりも困難である。
【０００８】
本発明は、このような事情に鑑みなされたものであり、包装体への印刷にかかる手間やコストを軽減し、かつ、粒状物の種類を容易に判別できる技術を提供することを目的とする。
【課題を解決するための手段】
【０００９】
上記課題を解決するため、本願の第１発明は、粒状物を包装するための包装体であって、粒状物を内部に収容する錠剤収容部を有する第１シートと、前記第１シートの下面を覆う第２シートと、を有し、前記第１シートは、板状の板部と、前記板部から上方へ筒状に突出する筒部と、前記筒部の上部を覆う窓部と、を有し、前記筒部および前記窓部によって前記錠剤収容部が形成され、前記窓部は、凸レンズである。
【００１０】
本願の第２発明は、第１発明の包装体であって、前記窓部の上面は、上方に向かって突出する曲面である。
【００１１】
本願の第３発明は、第１発明または第２発明の包装体であって、前記第１シートは、前記板部と、前記筒部と、前記窓部の下面を含む第１窓部とが一体に形成された第１部材と、前記窓部の上面を含む第２窓部を含む第２部材と、を含み、前記第２窓部の下面は、前記第１窓部の上面に接触する。
【００１２】
本願の第４発明は、第１発明または第２発明の包装体であって、前記窓部の下面は、下方に向かって突出する曲面である。
【発明の効果】
【００１３】
本願の第１発明から第４発明によれば、粒状物の上面に文字や記号等が印刷されている場合に、当該文字等が大きく見える。これにより、粒状物の種類を包装体の外から視認によって判別しやすい。その結果、包装体への印刷にかかる手間やコストを軽減し、かつ、粒状物の種類を容易に判別できる。
【図面の簡単な説明】
【００１４】
【図１】一実施形態に係る包装体の上面図である。
【図２】一実施形態に係る包装体の斜視図である。
【図３】一実施形態に係る包装体の部分断面図である。
【図４】従来のＰＴＰ包装体の部分断面図である。
【図５】一実施形態に係る包装体と従来のＰＴＰ包装体とにおける錠剤表面の見え方を比較した図である。
【図６】変形例に係る包装体の部分断面図である。
【図７】変形例に係る包装体の部分断面図である。
【図８】変形例に係る包装体の上面図である。
【発明を実施するための形態】
【００１５】
以下、本発明の実施形態について、図面を参照しつつ説明する。なお、本願では、第２シートに対して第１シート側を上側、第１シートに対して第２シート側を下側として説明を行っている。しかしながら、包装体の製造時および使用時の姿勢はこれに限られず、第１シート側を鉛直上向きとしなくてよい。
【００１６】
＜１．第１実施形態＞
本発明の第１実施形態に係る包装体１について、図１〜図５を参照しつつ説明する。図１は、包装体１の上面図である。図２は、包装体１の斜視図である。図３は、包装体１の部分断面図である。図４は、従来のＰＴＰ包装体１Ａの部分断面図である。図５は、包装体１と従来のＰＴＰ包装体１Ａとにおける錠剤表面の見え方を比較した図である。
【００１７】
この包装体１は、錠剤、錠剤状サプリメント、錠菓等の粒状物を包装するための包装体であって、いわゆるＰＴＰ（Press Through Package）包装用の包装体である。本実施形態の包装体１は、複数の錠剤９を包装する。図１および図２に示すように、包装体１は、全体としてシート状である。
【００１８】
図３に示すように、包装体１は、第１シート２０と、第２シート３０とを有する。包装体１では、上面側の第１シート２０と下面側の第２シート３０との間に形成された複数の収容空間１００に、錠剤９が１つずつ収容される。
【００１９】
第１シート２０は、透明な樹脂により形成される。第１シート２０の材料には、例えば、ポリプロピレン、ポリオレフィン、ポリ塩化ビニル等が用いられる。第１シート２０は、板部２１と、複数の錠剤収容部４１とを有する。複数の錠剤収容部４１はそれぞれ、筒部２２および窓部２３を有する。本実施形態では、第１シート２０は一体に形成される。
【００２０】
板部２１は板状の部位である。板部２１には、複数の孔２１１が設けられている。筒部２２はそれぞれ、板部２１の孔２１１の縁部から上方へ筒状に突出する。窓部２３は、筒部２２の上部を覆う。筒部２２と窓部２３とにより、有蓋筒状の錠剤収容部４１が形成される。錠剤収容部４１の内部にはそれぞれ、錠剤９が収容される。すなわち、錠剤収容部４１の内部空間が、錠剤９を収容するための収容空間１００となる。また、板部２１の孔２１１はそれぞれ、錠剤収容部４１の開口４２となる。
【００２１】
板部２１には、上面が凹む溝状の切り離し線２１２が設けられている。切り離し線２１２において折り曲げることより、包装体１を、２つの錠剤９毎の小片に切り離すことが可能である。
【００２２】
第２シート３０は、第１シート２０の下面を覆う。第２シート３０は、例えば、アルミニウム箔により形成される。第２シート３０の上面は、第１シート２０の板部２１の下面のほぼ全面に対して、ヒートシールにより固定される。また、第２シート３０は、錠剤収容部４１の開口４２を覆う。このため、収容空間１００は、第１シート２０の錠剤収容部４１と第２シート３０とにより密閉される。
【００２３】
図３に示すように、この包装体１において、第１シート２０の窓部２３は、中央に向かうにつれて厚みが大きくなる凸レンズである。本実施形態では、窓部２３の上面は、上方に向かって突出する曲面である。窓部２３の下面は、平坦な面である。当該形状により、窓部２３は凸レンズとなり、拡大鏡としての役割を果たす。
【００２４】
一方、図４に示すように、従来のＰＴＰ包装体１Ａでは、第１シート２０Ａの錠剤収容部４１Ａを形成する窓部２３Ａは、厚みが一定である。このため、窓部２３Ａの上方から、錠剤収容部４１Ａに収容された錠剤９Ａを見た場合、錠剤９Ａは拡大されない。すなわち、図５に概念的に示すように、本実施形態の包装体１において第１シート２０の上部から収容空間１００内に収容された錠剤９を見た場合、窓部２３Ａが平坦かつ厚みが一定である従来のＰＴＰ包装体１Ａにおいて第１シート２０Ａの上部から錠剤９Ａを見た場合よりも、錠剤９が拡大して見える。したがって、図５の例のように錠剤９の上面に文字等が印刷されている場合に、当該文字等が大きく見える。
【００２５】
このように、本実施形態の包装体１によって錠剤９を包装すれば、錠剤９の表面に表示された文字や記号等を、包装体１の外から窓部２３を介して認識しやすい。したがって、錠剤９の種類を視認によって判別しやすい。
【００２６】
これにより、包装体１への印刷に依存することなく、錠剤９の種類を判別可能となる。例えば、包装体１への印刷を省略した場合であっても、錠剤９の種類を判別可能となる。したがって、包装体１への印刷にかかる手間やコストを削減できる。
【００２７】
また、包装体１への錠剤９の種類上方の印刷を省略できることにより、同じ種類の第１シート２０および第２シート３０を用いて、異なる種類の錠剤９を包装できる。このようにすれば、製造量の少ない錠剤９を製造する場合に、製造装置にセットする第１シート２０および第２シート３０を交換する必要がない。したがって、包装体１の製造時の手間やコストを削減できる。
【００２８】
また、包装体１に印刷を行う場合であっても、印刷内容として、錠剤９の種類情報を省略または削除できるため、錠剤９の種類以外の情報の印刷面積を広くとれる。したがって、例えば用法・用量等の錠剤９の種類以外の情報を包装体１に効果的に印刷できる。また、包装体１に誤飲・誤嚥防止の表示を行う場合にも、当該情報を大きく印刷できる。
【００２９】
また、本実施形態の窓部２３は、上記の通り、上面が凸の曲面であり、下面は平坦面である。これにより、錠剤収容部４１に収容される錠剤９の収容空間１００を小さくすることなく、錠剤９の上面に表示された文字等を大きく見せることができる。
【００３０】
＜２．変形例＞
以上、本発明の一実施形態について説明したが、本発明は、上記の実施形態に限定されるものではない。
【００３１】
図６は、一変形例に係る包装体１Ｂの部分断面図である。図６の例では、第１シート２０Ｂは、第１部材２０１Ｂと、第２部材２０２Ｂとから構成される。窓部２３Ｂは、窓部２３Ｂの下面を含む第１窓部２３１Ｂと、窓部２３Ｂの上面を含む第２窓部２３２Ｂとを有する。第１部材２０１Ｂは、板部２１Ｂと、筒部２２Ｂと、第１窓部２３１Ｂとが一体に形成されたものである。第２部材２０２Ｂは、第２窓部２３２Ｂを含む。
【００３２】
第１部材２０１Ｂは、ほぼ均一な厚みを有する樹脂シートをプレス加工することによって得られる。このため、第１窓部２３１Ｂの厚みはほぼ均一である。第２窓部２３２Ｂの上面は上方に向かって突出する曲面であり、下面は平坦である。したがって、第２窓部２３２Ｂは、中央に向かうにつれて厚みが大きくなる凸レンズである。第２窓部２３２Ｂの下面は、第１窓部２３１Ｂの上面に接触し、かつ、固定される。このため、窓部２３Ｂ全体も、凸レンズとなる。
【００３３】
図６の例のように、窓部２３Ｂが複数の部材により構成されてもよい。図６の例では、従来の樹脂シートと同様の第１部材２０１Ｂの上面に第２部材２０２Ｂを付け加えることによって、錠剤９Ｂの上面に表示された文字等を、ユーザに対して、大きく見せることができる。
【００３４】
図７は、他の変形例に係る包装体１Ｃの部分断面図である。図７の例では、窓部２３Ｃの上面は上方に向かって突出する曲面であり、窓部２３Ｃの下面は下方に向かって突出する曲面である。したがって、窓部２３Ｃは、中央に向かうにつれて厚みが大きくなる凸レンズである。その結果、錠剤９Ｃの上面に表示された文字等を、ユーザに対して、大きく見せることができる。
【００３５】
このように、窓部２３Ｃの下面は下方に向かって突出していてもよい。なお、図７の例では窓部２３Ｃの上面が上方に向かって突出していたが、窓部２３Ｃの上面は平坦であってもよい。
【００３６】
また、上記の実施形態および変形例において、窓部の上面は上方に向かって突出するか、または、平坦であった。しかしながら、窓部が凸レンズであれば、窓部の上面は下方に向かって凹んでいてもよい。同様に、上記の実施形態および変形例において、窓部の下面は平坦であるか、下方に向かって突出していた。しかしながら、窓部が凸レンズであれば、窓部の下面が上方に向かって凹んでいてもよい。
【００３７】
また、上記の実施形態および変形例において、窓部は、中央に向かうにつれて厚みが大きくなる凸レンズであったが、凸レンズの役割を果たしていれば、フレネルレンズ等の他の形状であってもよい。
【００３８】
図８は、他の変形例に係る包装体１Ｄの上面図である。図８の例では、窓部２３Ｄの形状が上面視において楕円形である。また、窓部２３Ｄは、中央に向かうにつれて厚みが大きくなる凸レンズである。この包装体１Ｄには、楕円形の錠剤９Ｄが収容される。上記の実施形態の包装体１において、窓部２３の形状は、上面視において円形であったが、本発明はこれに限られない。図８の例のように、窓部２３Ｄは、楕円形であってもよいし、角丸長方形や角丸三角形等のその他の形状であってもよい。
【００３９】
また、上記の実施形態や変形例に登場した各要素を、矛盾が生じない範囲で、適宜に組み合わせてもよい。
【符号の説明】
【００４０】
１，１Ｂ，１Ｃ，１Ｄ  包装体
１Ａ  ＰＴＰ包装体
９，９Ａ，９Ｂ，９Ｃ，９Ｄ  錠剤
２０，２０Ａ，２０Ｂ  第１シート
２１，２１Ｂ  板部
２２，２２Ｂ  筒部
２３，２３Ａ，２３Ｂ，２３Ｃ，２３Ｄ  窓部
３０  第２シート
４１，４１Ａ  錠剤収容部
４２  開口
２０１Ｂ  第１部材
２０２Ｂ  第２部材
２３１Ｂ  第１窓部
２３２Ｂ  第２窓部
【図１】
2019199262.tif 000003
【図２】
2019199262.tif 000004
【図３】
2019199262.tif 000005
【図４】
2019199262.tif 000006
【図５】
2019199262.tif 000007
【図６】
2019199262.tif 000008
【図７】
2019199262.tif 000009
【図８】
2019199262.tif 000010
【手続補正書】
【提出日】平成30年5月15日(2018.5.15)
【手続補正１】
【補正対象書類名】図面
【補正対象項目名】図５
【補正方法】変更
【補正の内容】
【図５】
2019199262.tif 000011